【手続補正書】
【提出日】平成19年10月17日(2007.10.17)
【手続補正１】
【補正対象書類名】明細書
【補正対象項目名】００１５
【補正方法】変更
【補正の内容】
【００１５】
管理計算機１００は、ＣＰＵ１０１とメモリ１０３と、ストレージ１２０やホスト１１０と通信するＩ／Ｆ１０２を有する。管理計算機用のストレージ連携プログラム１０４、ボリューム権限管理プログラム１０５、ホスト連携プログラム１０６は、本発明の実施の形態の処理を実現するものである。ストレージ連携プログラム１０４、ボリューム権限管理プログラム１０５、ホスト連携プログラム１０６は、管理計算機１００のメモリ１０３に格納されており、ＣＰＵ１０１によって実行されることにより実現される。ストレージ管理情報１０７、業務管理情報１０８は、ストレージ連携プログラム１０４、ボリューム権限管理プログラム１０５、ホスト連携プログラム１０６で使用する情報である。
【手続補正２】
【補正対象書類名】明細書
【補正対象項目名】００１６
【補正方法】変更
【補正の内容】
【００１６】
ホスト１１０は、ストレージ１２０のボリューム１２５にＩ／Ｆ１１２を介して、データＩ／Ｏを送受信して、ホストのデータをボリューム１２５に格納、編集する計算機である。ホスト１１０は、前述したＩ／Ｆ１１２とＣＰＵ１１１、メモリ１１３を有する。ホスト１１０を管理計算機１００で管理する場合は、ホスト１１０のメモリ１１３上の管理計算機連携プログラム１１６を使用し、管理計算機１００にＩ／Ｆ１１２を介して、情報の送受信を行なう。またホスト１１０の業務プログラム１１４は、ホスト１１０上で動作する業務を実行するプログラムである。この業務（用途）には、ボリューム１２５上のデータの更新、作成を行なうデータ管理や、データの複製を行なうバックアップ管理などがある。またホスト用のストレージ連携プログラム１１５は、ストレージ１２０のストレージ構成プログラム１２４と連携して、ストレージ構成の情報の取得や、設定を指示するプログラムである。メモリ１１３に格納されている業務プログラム１１４、ストレージ連携プログラム１１５、管理計算機連携プログラム１１６は、ＣＰＵ１１１によって実行されることにより実現される。Ｉ／Ｆ１１２は管理計算機１００とストレージ１２０に接続されているが、管理計算機１００への情報の送受信には、ＴＣＰ／ＩＰのようなプロトコル、ストレージ１２０に対しては、Ｆｉｂｒｅ  Ｃｈａｎｎｅｌのようなプロトコルを使用する場合、すなわち別々のプロトコルで接続する場合には、それぞれ別々のＩ／Ｆとなっていてもよい。別の言い方をすれば、例えばホスト１１０のデータの送受信に管理計算機１００とストレージ１２０とで、同じプロトコルを使用する場合は、Ｉ／Ｆ１１２は、１つのＩ／Ｆの装置で構成してもよい。
【手続補正３】
【補正対象書類名】明細書
【補正対象項目名】００２３
【補正方法】変更
【補正の内容】
【００２３】
ポート管理テーブル２１０には、ポートを識別するポートＩＤ２１１と、ストレージを識別するストレージＩＤ２１２と、各ストレージ内部のポートを識別するストレージポートＩＤ２１３が格納されている。このテーブルは管理計算機１００で複数のストレージを管理する場合に、複数のストレージのポートを識別するために用いる。
【手続補正４】
【補正対象書類名】明細書
【補正対象項目名】００３７
【補正方法】変更
【補正の内容】
【００３７】
ユーザ管理テーブル４１０は、ユーザ管理テーブル３１０と同じ形式であり、ユーザ管理テーブル３１０とは別の管理体系としてユーザを定義した場合の例である。
【手続補正５】
【補正対象書類名】明細書
【補正対象項目名】００５２
【補正方法】変更
【補正の内容】
【００５２】
共有ボリューム操作管理対応テーブル６００は、ユーザで共有されているボリュームのボリュームＩＤを示す共有ボリューム６０１、複数のユーザで共有するボリューム操作内容を表す操作６０２と、ボリューム操作を区別するための情報として定義しておくボリューム状態６０３と、ボリューム状態６０３の場合に共有ボリューム６０１に対する操作６０２を行なうことが可能なユーザを示す使用可能ユーザ６０４、上記共有するボリュームの操作６０２の設定を、ボリューム状態６０３に変更された契機に行なうかどうかを示す動的設定６０５と、上記共有するボリュームの操作で使用するリソースの操作権限の委譲について定義しておくリソース委譲６０６の情報を示している。動的設定６０５、リソース委譲６０６は、前述した共有ボリューム操作管理テーブル５００の動的設定５０４、リソース委譲５０５と同義である。
【手続補正６】
【補正対象書類名】明細書
【補正対象項目名】００５７
【補正方法】変更
【補正の内容】
【００５７】
また、共有ボリューム操作管理対応テーブル６００のボリューム状態６０３は、共有しているユーザの操作に対する状態のみを格納すればよい。すなわちＶＯＬ１は、ユーザＩＤ１のユーザと、ユーザＩＤ３のユーザでのみ共有されており、ペア状態には依存しないので、ペア状態に対する情報を格納しなくても良い。
【手続補正７】
【補正対象書類名】明細書
【補正対象項目名】００５８
【補正方法】変更
【補正の内容】
【００５８】
図７は、実施例１において、管理計算機１００で実行される各プログラムで使用する業務管理情報１０８にあるテーブルの一例を説明する図である。共有ボリューム操作管理テーブル７００は、共有ボリューム操作管理テーブル５００と同じ形式であり、複数のユーザで共有しているボリュームにおいて、ボリュームの状態とボリュームを使用可能な業務を関連させるテーブルである。業務は図４で示した業務操作テーブル４００、ユーザ管理テーブル４１０で示した例とする。
【手続補正８】
【補正対象書類名】明細書
【補正対象項目名】００６３
【補正方法】変更
【補正の内容】
【００６３】
共有ボリューム操作管理対応テーブル８００は、共通ボリューム操作管理対応テーブル６００と同じ考え方をすれば、共有ボリューム操作管理テーブル７００と、ユーザ管理テーブル４１０と、業務操作テーブル４００により、自動的に情報を作成しても良いし、管理計算機の業務管理情報１０８として、ストレージ操作を行なう前に、登録しても良い。共有ボリューム操作管理テーブル７００と共有ボリューム操作管理対応テーブル８００は、共存させないようにしても良いし、共存する場合は、どちらのテーブルを優先するか決定しても良い。
【手続補正９】
【補正対象書類名】明細書
【補正対象項目名】００８０
【補正方法】変更
【補正の内容】
【００８０】
ステップ９０７では、ステップ９０６のステップ終了後、すなわち要求されたストレージ設定終了後、再びボリュームの状態を取得する。このときペア操作、ガード操作はボリュームの状態が変わるので、ステップ９０７のように確認をする必要があるが、パス操作により、ボリュームの状態の変化がない操作であれば、このステップは飛ばしても良い、だたし、パス操作でも、ボリュームの状態として、「ペアあり」「ペアなし」という状態を管理し、共有ボリューム操作へ影響が出るときには、ステップ９０７の処理は行なう必要が出てくる。ステップ９０７の処理が終われば、ステップ９０８に進む
【手続補正１０】
【補正対象書類名】明細書
【補正対象項目名】０１１３
【補正方法】変更
【補正の内容】
【０１１３】
また管理計算機１００には、暗号化装置１１２０と連携するための暗号化装置連携プログラム１１３０があり、この暗号化装置連携プログラム１１３０により、情報を取得したり、設定要求を出したりする。
【手続補正１１】
【補正対象書類名】図面
【補正対象項目名】図８
【補正方法】変更
【補正の内容】
【図８】
2006235976.tif 000001